(57)【特許請求の範囲】
【請求項１】
手を通す開口部が上端部に設けられた椅子の背もたれを前記開口部より下方において被覆する筒状の本体部と、
前記開口部の下部に対し前記本体部の上端部における前面側と背面側とを繋ぐ係止部と、
を備える背もたれカバー。
【請求項２】
前記係止部は、
前記開口部に挿通され、前記開口部の中心方向に凸となる形状で裏面に係止部材を有する係止片と、
前記係止片が折り曲げられた場合に前記係止部材に対応する位置に配置される保持部材と、
を備える請求項１に記載の背もたれカバー。
【請求項３】
前記本体部は、
下端部に前面側と背面側とを繋ぐ締結部材を備える請求項１又は請求項２に記載の背もたれカバー。
【請求項４】
手を通す開口部が中央部付近に設けられた椅子の背もたれを前記開口部を除いて被覆する上端が閉鎖されて袋状に形成された本体部と、
前記本体部において前記開口部に対応する位置に貫通孔を設け、該貫通孔の上部と下部に係止部材を有する係止片と前記係止片を折り曲げたとき前記係止部材に対応する位置に配置される保持部材からなる係止部と、
を備える背もたれカバー。
【請求項５】
手を通す開口部が中央部付近或いは中央部付近より下方に設けられた椅子の背もたれを前記開口部より上方において被覆する上端が閉鎖されて袋状に形成された本体部と、
前記本体部を、その下端部が前記開口部の上部と略同位となるように形成し、前記下端部にその前面側と背面側を繋ぐ係止部又は締結部材と、
を備える背もたれカバー。
【請求項６】
前記本体部は、
装着時に腰に当たる部分に弾性部材によって形成されるランバーサポートを備える請求項１から請求項５までのいずれか１項に記載の背もたれカバー。
【請求項７】
手を通す開口部を有する背もたれと、
前記背もたれの前方に配置される座部と、
前記座部を支持する複数の脚部と、
請求項１から請求項６までのいずれか１項に記載の背もたれカバーと、
を備える椅子。
【発明の詳細な説明】
【技術分野】
【０００１】
本発明は、背もたれカバーに関するものである。
【背景技術】
【０００２】
椅子の耐久性や製造コストの点から、或いは意匠の面から背もたれを樹脂や木、或いは金属によって形成する場合がある。このような椅子は、座った時に背もたれ部分が固いと感じることがある。そこで、背もたれに袋状のカバーを掛けることが考えられる（例えば、特許文献１。）
【０００３】
しかし、椅子の中には椅子を持ち運びやすいように背もたれに手を入れる開口部を設けたものがある。このような椅子に、単純な袋状のカバーを掛けてしまうと開口部がカバーによって覆われ、椅子を持ち運ぶ際に開口部を使うことができなくなってしまう。
【先行技術文献】
【特許文献】
【０００４】
【特許文献１】特許第４０９８５４４号公報
【発明の概要】
【発明が解決しようとする課題】
【０００５】
従って、背もたれに開口部が設けられている椅子に対して使用した場合であっても、開口部の使用の障害とならない背もたれカバーが求められている。
【課題を解決するための手段】
【０００６】
上記課題を解決するため、本発明は、椅子の背もたれを被覆する筒状の本体部と、前記椅子の背もたれに設けられる開口部において前面側と背面側とを繋ぐ係止部と、を備える背もたれカバーを提供する。
【発明の効果】
【０００７】
本発明によれば、背もたれに開口部が設けられている椅子に対して使用した場合であっても、開口部の使用の障害とならない背もたれカバーを提供することができる。
【図面の簡単な説明】
【０００８】
【図１】第１の実施形態に係る背もたれカバーの正面図。
【図２】背もたれカバーの背面図。
【図３】背もたれカバーの背面斜視図。
【図４】背もたれカバーを取り付けた椅子の正面図。
【図５】図４の椅子の背面図。
【図６】第２の実施形態に係る背もたれカバーの正面図。
【図７】図６の背もたれカバーの背面図。
【図８】第３の実施形態に係る線ファスナーを使用した背もたれカバーの正面図。
【図９】第３の実施形態に係る係止片を有する背もたれカバーの正面図。
【図１０】図９の背もたれカバーの背面図。
【図１１】背もたれカバーの使用状態を示す図。
【発明を実施するための形態】
【０００９】
以下、本発明の一実施形態にかかる背もたれカバーの例を、図面を参照しながら説明する。
【００１０】
（第１の実施形態）
図１は第１の実施形態に係る背もたれカバー１の正面図、図２は背もたれカバー１の背面図、図３は背もたれカバー１の背面斜視図である。
【００１１】
図１から図３に示すように、背もたれカバー１は、本体部１２と、係止部と、を備える。
【００１２】
本体部１２は、使用状態における上下端部が開口する筒状に形成される。ここで、筒状とは、上端部と下端部がそれぞれ開口する形状と、上端部又は下端部の一方が開口し、他方が塞がれている、いわゆる袋状の筒の形状と、を含む。本体部１２は、表面が布状又は立毛を備える布状の部材によって形成され、裏面はウレタンなどの弾性を有する部材が貼り付けられる。従って、本体部１２は伸縮性があり、かつ、厚み方向に弾力がある。
【００１３】
係止部は、本体部１２の前面側、つまり着座した者の背中に接触する側と、本体部１２の背面側、つまり背もたれの背後に配置され、着座者の背中に接触しない側とを繋ぐ部材であれば、どのような部材も用いることができる。
【００１４】
係止部は、例えばファスナー（線ファスナー）、ボタン、ひも、係止部材を備える係止片１１を用いることができる。以下、係止部として係止片１１を用いた場合を例に説明する。
【００１５】
係止片１１は、使用状態における上方向、つまり開口部２２の中心方向に凸となる形状を有する。係止片１１は裏面側に係止部材１１Ａを備える。係止部材１１Ａは、例えば面ファスナーのフックを用いることができる。
【００１６】
係止片１１を下方に折り曲げた場合に係止部材１１Ａに対応する位置には保持部材１２Ａが設けられる。保持部材１２Ａは、係止部材１１Ａを保持する保持機構を有する部材である。保持部材１２Ａは、例えば面ファスナーのループを用いることができる。
【００１７】
背もたれカバー１はさらに、締結部を備えていてもよい。締結部は本体部１２の下端において、本体部１２の前面側と、本体部１２の背面側とを締結することができれば、どのような部材を用いてもよい。
【００１８】
締結部は、例えばボタン、ひも、係止部材を備える係止片１１を用いることができる。以下、締結部として締結部材１３を用いた場合を例に説明する。
【００１９】
締結部材１３は、本体部１２の使用状態における下端部に、開口部２２に沿って、開口部２２の一部を閉じるように設けられる。締結部材１３は、例えばファスナー（線ファスナー）を用いることができる。
【００２０】
図４は背もたれカバー１を取り付けた椅子２の正面図、図５は図４の椅子の背面図である。
【００２１】
図２と図５を参照して寸法関係を説明する。背もたれカバー１の本体部１２の横幅Ｗ１は、椅子２の背もたれ２１の横幅Ｗ１１と略等しい。係止片１１の横幅Ｗ２は、背もたれ２１に設けられる開口部２２の横幅Ｗ１２に略等しい。
【００２２】
本体部１２の高さＨ１は、背もたれ２１の下端部から開口部２２の下端部までの高さＨ１１と略等しい。係止片１１の高さＨ２は、背もたれ２１の厚さに保持部材１２Ａの高さを加えた長さに略等しい。保持部材１２Ａの高さは、人が椅子２に腰かけた場合でも保持部材１２Ａから係止部材１１Ａが外れない程度の長さを有する。
【００２３】
締結部材１３の長さは、本体部１２の横幅Ｗ１から背もたれ２１を支持する背もたれ支持部２６を通すだけの幅を差し引いた長さを有する。つまり、締結部材１３は本体部１２の下端の左右両端部の背もたれ支持部２６を通す部分には設けられていない。
【００２４】
次に、第１の実施形態の背もたれカバー１が装着される椅子２について説明する。椅子２は、背もたれ２１と、背もたれ２１を支持する背もたれ支持部２６と、前記背もたれの前方に配置され、背もたれ支持部２６を支持する座部２４と、座部２４を支持する複数の脚部２５と、を備える。
【００２５】
背もたれ２１の上端部には手を通して椅子２を持ち上げるための開口部２２が設けられる。
【００２６】
次に、背もたれカバー１の使用方法について説明する。まず、締結部材１３を開放し、保持部材１２Ａから係止部材１１Ａを外す。
【００２７】
本体部１２の正面を着座方向に合わせて背もたれカバー１を背もたれ２１にかぶせる。このとき、本体部１２は平面視において背もたれ２１を周回するように被覆する。
【００２８】
そして、係止片１１を開口部２２に通し、係止部材１１Ａを保持部材１２Ａに張り合わせる。
【００２９】
最後に、締結部材１３を閉じる。
【００３０】
以上述べたように、本実施形態の背もたれカバー１は、椅子２の背もたれ２１を被覆する筒状の本体部１２と、椅子２の背もたれ２１に設けられる開口部２２において前面側と背面側とを繋ぐ係止部と、を備える。より具体的には、本実施形態の背もたれカバー１は、椅子２の背もたれ２１を被覆する筒状の本体部１２と、椅子２の背もたれ２１に設けられる開口部２２に挿通され、裏面に係止部材１１Ａを有し、開口部２２の中心方向に凸となる係止片１１と、係止片１１が折り曲げられた場合に係止部材１１Ａに対応する位置に配置される保持部材１２Ａと、本体部１２の下端部に設けられる締結部材１３と、を備える。
【００３１】
従って、本発明の第１の実施形態によれば、背もたれ２１に開口部２２が設けられている椅子２に対して使用した場合であっても、開口部２２の使用の障害とならない背もたれカバー１を提供することができるという効果がある。
【００３２】
また、背もたれカバー１を背もたれ２１が弾性力のある樹脂によって形成されている椅子２に装着した場合でも、背もたれ２１の弾性力を活かしつつ、さらに座り心地の良い椅子を提供することができる。
【００３３】
背もたれカバー１は、開口部２２の上方の持ち手部分は被覆しない。従って、頻繁に持ち手部分を持って椅子２を移動させても、背もたれカバー１は経時劣化したり、汚れたりしない。
【００３４】
背もたれカバー１は、弾性力のある素材によって形成されているため、装着した場合の張上りが美しい。加えて、締結部によって本体部１２の下端を締結すれば、背もたれカバー１に張力がかかり、ピンと張られて見た目が美しくなる。
【００３５】
背もたれカバー１は係止片１１を椅子２の背面側に折り曲げて装着されるため、正面視が美しい。
【００３６】
背もたれカバー１は、係止部材１１Ａ及び保持部材１２Ａに面ファスナーを使用することができるため、装着に際しての作業性が良い。
【００３７】
なお、背もたれカバー１はさらに、装着時に腰に当たる部分にウレタンによって形成されたスポンジなどの弾性部材によって形成されるランバーサポートを備えることもできる。
【００３８】
この場合、さらに座り心地がよくなるという効果がある。
【００３９】
（第２の実施形態）
第２の実施形態の背もたれカバー１は、椅子２の背もたれ２１の中央部付近に開口部２２がある場合に使用するものである。第２の実施形態の背もたれカバー１の材質は、第１の実施形態の背もたれカバー１の材質と同様である。本実施形態の背もたれカバー１は係止片を複数設けられていてもよい。
【００４０】
図６は第２の実施形態に係る背もたれカバー１の正面図、図７は図６の背もたれカバー１の背面図である。
【００４１】
図６及び図７に示すように、第２の実施形態の背もたれカバー１は、本体部３２と、貫通孔３３と、係止部である第１の係止片３４Ａ及び第２の係止片３４Ｂと、締結部である締結部材３５と、を備える。
【００４２】
本体部３２は、使用状態における上端部が閉鎖され、下方に開口する袋形状をなす。
【００４３】
本体部３２は、装着される椅子２の背もたれ２１に設けられる開口部２２に対応する位置に、厚み方向に貫通する貫通孔３３を有する。
【００４４】
係止部は、本体部１２の前面側、つまり着座した者の背中に接触する側と、本体部１２の背面側、つまり背もたれの背後に配置され、着座者の背中に接触しない側とを繋ぐ部材であれば、どのような部材も用いることができる。
【００４５】
係止部は、例えばファスナー（線ファスナー）、ボタン、ひも、係止部材を備える係止片１１を用いることができる。以下、係止部として第１の係止片３４Ａ及び第２の係止片３４Ｂを用いた場合を例に説明する。
【００４６】
第１の係止片３４Ａは貫通孔３３の上方に、第２の係止片３４Ｂは貫通孔３３の下方に設けられる。
【００４７】
第１の係止片３４Ａの裏面側には第１の係止部材３６Ｂが設けられ、第２の係止片３４Ｂの裏面側には第２の係止部材３６Ｃが設けられる。第１の係止部材３６Ｂと、第２の係止部材３６Ｃは面ファスナーのフックを用いることができる。
【００４８】
第１の係止片３４Ａを折り返した場合に第１の係止部材３６Ｂに対応する位置には第１の保持部材３６Ａが設けられ、第２の係止片３４Ｂを折り返した場合に第２の係止部材３６Ｃに対応する位置には第２の保持部材３６Ｄが設けられる。第１の保持部材３６Ａと第２の保持部材３６Ｄは面ファスナーのループを用いることができる。
【００４９】
締結部である締結部材３５の配置位置と構成は、第１の実施形態の締結部材１３と同様である。
【００５０】
次に、寸法関係を説明する。背もたれカバー１の本体部１２の横幅Ｗ４は、椅子２の背もたれ２１の横幅Ｗ１１と略等しい。第１の係止片３４Ａ及び第２の係止片３４Ｂの横幅Ｗ５は、背もたれ２１に設けられる開口部２２の横幅に略等しい。
【００５１】
本体部１２の高さＨ３は、背もたれ２１の下端部から上端部までの高さと略等しい。第１の係止片３４Ａ及び第２の係止片３４Ｂの高さは、背もたれ２１の厚さに第１の保持部材３６Ａ又は第２の保持部材３６Ｄの高さを加えた長さに略等しい。第１の保持部材３６Ａ及び第２の保持部材３６Ｄの高さは、人が椅子２に腰かけた場合でも第１の保持部材３６Ａ及び第２の保持部材３６Ｄから第１の係止部材３６Ｂ及び第２の係止部材３６Ｃが外れない程度の長さを有する。
【００５２】
次に、第２の実施形態の背もたれカバー１が装着される椅子２について説明する。椅子２は、背もたれ２１と、背もたれ２１を支持する背もたれ支持部２６と、前記背もたれの前方に配置され、背もたれ支持部２６を支持する座部２４と、座部２４を支持する複数の脚部２５と、を備える。
【００５３】
背もたれ２１の中央部には手を通して椅子２を持ち上げるための開口部２２が設けられる。
【００５４】
次に、背もたれカバー１の使用方法について説明する。まず、締結部材３５を開放し、第１の保持部材３６Ａ及び第２の保持部材３６Ｄから第１の係止部材３６Ｂ及び第２の係止部材３６Ｃを外す。
【００５５】
本体部１２の正面を着座方向に合わせて背もたれカバー１を背もたれ２１にかぶせる。このとき、本体部１２は平面視において背もたれ２１を周回するように被覆する。
【００５６】
そして、第１の係止片３４Ａ及び第２の係止片３４Ｂを開口部２２に通し、第１の係止部材３６Ｂを第１の保持部材３６Ａに、第２の係止部材３６Ｃを第２の保持部材３６Ｄに、それぞれ張り合わせる。
【００５７】
最後に、締結部材３５を閉じる。
【００５８】
以上述べたように、本実施形態の背もたれカバー１は、袋状に形成される本体部３２と、椅子２の背もたれ２１に設けられる開口部２２に挿通され、裏面に第１の係止部材３６Ｂを有し、開口部２２の中心方向に凸となる第１の係止片３４Ａと、第１の係止片３４Ａが折り曲げられた場合に第１の係止部材３６Ｂに対応する位置に配置される第１の保持部材３６Ａと、椅子２の背もたれ２１に設けられる開口部２２に挿通され、裏面に第２の係止部材３６Ｃを有し、使用状態における開口部２２の中心方向に凸となる第２の係止片３４Ｂと、第２の係止片３４Ｂが折り曲げられた場合に第２の係止部材３６Ｃに対応する位置に配置される第２の保持部材３６Ｄと、本体部１２の下端部に設けられる締結部材３５と、を備える。
【００５９】
従って、本発明の第２の実施形態によれば、背もたれ２１の略中央部に開口部２２が設けられている椅子２に用いる場合でも、開口部２２の使用の障害とならない背もたれカバー１を提供することができるという効果がある。
【００６０】
（第３の実施形態）
第３の実施形態の背もたれカバー１は、椅子２の背もたれ２１の中央部付近、或いは中央付近よりも下方に開口部２２がある場合に使用するものである。開口部２２は、中央付近から下方に設けられる場合、安定感があり、持ち運びやすい。第３の実施形態の背もたれカバー１の材質は、第１の実施形態の背もたれカバー１の材質と同様である。本実施形態の背もたれカバー１は係止片を複数設けられていてもよい。
【００６１】
図８は第３の実施形態に係る線ファスナーを使用した背もたれカバー１の正面図、図９は第３の実施形態に係る係止片５１を有する背もたれカバー１の正面図、図１０は図９の背もたれカバー１の背面図、図１１は背もたれカバー１の使用状態を示す図である。
【００６２】
図８から図１１までに示すように、第３の実施形態の背もたれカバー１は、本体部４２と、係止部である締結部材４５又は係止片５１と、を備える。
【００６３】
本体部３２は、使用状態における上端部が閉鎖され、下方に開口する袋形状をなす。
【００６４】
係止部は、本体部係止部は、本体部４２の前面側、つまり着座した者の背中に接触する側と、本体部４２の背面側、つまり背もたれの背後に配置され、着座者の背中に接触しない側とを、開口部２２を介して繋ぐ部材であれば、どのような部材も用いることができる。
【００６５】
係止部は、本体部４２の下端部の、開口部２２に対応する位置に配置される。開口部２２が長方形又は長円形の場合には、係止部は開口部２２の上辺に対応する位置に設けられる。係止部は、図８に示すような締結部材であるファスナー（線ファスナー）の他、ボタン、ひも、図９及び図１０に示すような係止部材を備える係止片１１を用いることができる。
【００６６】
図１０を参照して寸法関係を説明する。図１０に示すように、背もたれカバー１の横幅は椅子２の背もたれ２１の横幅Ｗ６と略等しい。係止片５１の横幅Ｗ７は開口部２２の幅方向の径の長さより短い。背もたれカバー１の高さＨ４は背もたれ２１の上端部から開口部２２の上端部までの長さに略等しい。
【００６７】
係止片５１は、使用状態における下方向、つまり開口部２２の中心方向に凸となる形状を有する。係止片５１は裏面側に係止部材５２を備える。係止部材５２は、例えば面ファスナーのフックを用いることができる。
【００６８】
係止片５１を上方に折り曲げた場合に係止部材５２に対応する位置には保持部材５３が設けられる。保持部材５３は、係止部材５２を保持する保持機構を有する部材である。保持部材５３は、例えば面ファスナーのループを用いることができる。
【００６９】
第３の実施形態の背もたれカバー１が装着される椅子２は第２の実施形態の背もたれカバー１が装着される椅子２と同様である。
【００７０】
次に、背もたれカバー１の使用方法について説明する。まず、係止部を開放する。
【００７１】
本体部１２の正面を着座方向に合わせて背もたれカバー１を背もたれ２１にかぶせる。このとき、本体部４２は平面視において背もたれ２１を周回するように被覆する。
【００７２】
そして、係止部を係止する。
【００７３】
以上述べたように、本実施形態の背もたれカバー１は、袋状に形成される本体部４２と、椅子２の背もたれ２１に設けられる開口部２２において前面側と背面側とを繋ぐ係止部と、を備える。
【００７４】
従って、背もたれカバー１は背もたれ２１の一部のみを被覆することが可能となり。意匠的にユニークな椅子２を提供することが可能となるという効果がある。
【符号の説明】
【００７５】
１  カバー
２  椅子
１１  係止片
１１Ａ  係止部材
１２  本体部
１２Ａ  保持部材
１３  締結部材
２２  開口部
２４  座部
２５  脚部
２６  支持部
３２  本体部
３３  貫通孔
３４Ａ  第１の係止片
３４Ｂ  第２の係止片
３５  締結部材
３６Ａ  第１の保持部材
３６Ｂ  第１の係止部材
３６Ｃ  第２の係止部材
３６Ｄ  第２の保持部材
４２  本体部
４５  締結部材
５１  係止片
５２  係止部材
５３  保持部材
【図１】
0006695211.tif 000002
【図２】
0006695211.tif 000003
【図３】
0006695211.tif 000004
【図４】
0006695211.tif 000005
【図５】
0006695211.tif 000006
【図６】
0006695211.tif 000007
【図７】
0006695211.tif 000008
【図８】
0006695211.tif 000009
【図９】
0006695211.tif 000010
【図１０】
0006695211.tif 000011
【図１１】
0006695211.tif 000012